(57)【要約】【課題】スタンバイ状態時の消費電力を低減するようにすることを目的とする。【解決手段】受信回路７で受信した受信信号を復調回路８、信号処理回路９及び電力増幅回路１０を介して負荷１１に供給すると共に電源１２とこの信号処理回路９及びこの電力増幅回路１０との間に設けた第１のスイッチ１４をこの復調回路８の出力側に復調信号があるときにオンするようにしたワイヤレス受信装置において、この電源１２とこの受信回路７及び復調回路８との間に第２のスイッチ２８を設けると共に電源オンリクエスト信号受信回路２５及びデコーダ２７を設け、スタンバイ状態時に、この電源オンリクエスト信号受信回路２５及びこのデコーダ２７に電源を供給するようにし、このスタンバイ状態時にこのデコーダ２７に出力信号が得られたときにこの第２のスイッチ２８をオンするようにしたものである。【選択図】        図１
2004336252.tif 000002
【特許請求の範囲】
【請求項１】
受信回路で受信した受信信号を復調回路、信号処理回路及び電力増幅回路を介して負荷に供給すると共に電源と前記信号処理回路及び前記電力増幅回路との間に設けた第１のスイッチを前記復調回路の出力側に復調信号があるときにオンするようにしたワイヤレス受信装置において、
前記電源と前記受信回路及び前記復調回路との間に第２のスイッチを設けると共に電源オンリクエスト信号受信回路及びデコーダを設け、スタンバイ状態時に、前記電源オンリクエスト信号受信回路及び前記デコーダに電源を供給するようにし、前記スタンバイ状態時に前記デコーダに出力信号が得られたときに前記第２のスイッチをオンするようにしたことを特徴とするワイヤレス受信装置。
【請求項２】
受信回路で受信した受信信号を復調回路、信号処理回路及び電力増幅回路を介してスピーカに供給すると共に電源と前記信号処理回路及び前記電力増幅回路との間に設けた第１のスイッチを前記復調回路の出力側に復調音声信号があるときにオンするようにしたワイヤレススピーカ装置において、
電源と前記受信回路及び前記復調回路との間に第２のスイッチを設けると共に電源オンリクエスト信号受信回路及びデコーダを設け、スタンバイ状態時に、前記電源オンリクエスト信号受信回路及び前記デコーダに電源を供給するようにし、前記スタンバイ状態時に前記デコーダに出力信号が得られたときに前記第２のスイッチをオンするようにしたことを特徴とするワイヤレススピーカ装置。
【請求項３】
主に音声信号を変調した送信信号を送信側よりワイヤレスで送信し、前記送信信号を、受信側の受信回路で受信した受信信号を復調回路、信号処理回路及び電力増幅回路を介して負荷に供給すると共に電源と前記信号処理回路及び前記電力増幅回路との間に設けた第１のスイッチを前記復調回路に復調信号が得られているときにオンするようにした音声信号ワイヤレス送受信システムにおいて、電源と前記受信回路及び前記復調回路との間に第２のスイッチを設けると共に前記送信側に電源オンリクエスト信号をワイヤレスで送信する電源オンリクエスト信号送信手段を設け、前記受信側に電源オンリクエスト信号受信回路及びデコーダを設け、スタンバイ状態時に前記電源オンリクエスト信号受信回路及びデコーダに電源を供給するようにし、前記スタンバイ状態時に前記デコーダに出力信号が得られたときに前記第２のスイッチをオンとするようにしたことを特徴とする音声信号ワイヤレス送受信システム。
【発明の詳細な説明】
【０００１】
【発明の属する技術分野】
本発明はスタンバイ状態時の消費電力を低減するようにしたワイヤレス受信装置、ワイヤレススピーカ装置及び音声信号ワイヤレス送受信システムに関する。
【０００２】
【従来の技術】
従来、音声信号を離れた位置に赤外線、電波等を使用しワイヤレスで送受信するようにした音声信号ワイヤレス送受信システムが提案されている。
【０００３】
この音声信号ワイヤレス送受信システムにおいては、一般に送信側と受信側とが離れているために受信側の電源をオンオフするためには使用者が受信側の電源スイッチの所まで行きこの電源スイッチを直接オンオフする必要がありワイヤレスの利便性が損なわれていた。
【０００４】
そこで、従来図２に示す如く、音声信号を受信したときのみ受信側の信号処理回路及び電力増幅回路の電源をオンするようにし受信側を動作状態とするようにしたものが提案されている（特許文献１参照）。
【０００５】
この図２につき説明するに、図２において、１は送信側を示し、２は受信側を示し、この受信側２は例えばワイヤレススピーカ装置である。この送信側１において、１ａは音声信号入力端子を示し、この音声信号入力端子１ａに供給された音声信号をこの音声信号を処理する音声信号処理回路３に供給する。
【０００６】
この音声信号処理回路３で処理された音声信号を送信信号に変調する変調回路４に供給する。この変調回路４で変調されて得られる送信信号を変調された信号成分を含む例えば赤外線信号６を出射する送信回路５に供給する。
【０００７】
この場合、この送信回路５は高音質の音声信号を送信する為、赤外線の搬送周波数を例えば３〜６ＭＨｚとしている。
【０００８】
受信側２において、７は受信回路を示し、この受信回路７はこの変調された信号成分を含む例えば赤外線信号６を受信する例えば受光素子等より構成する。この受信回路７で受信した受信信号を変調信号を復調する復調回路８に供給する。この場合、受信回路７は搬送周波数が例えば３〜６ＭＨｚの高音質の音声信号成分を含む赤外線信号６を受信できる如く構成する。
【０００９】
この復調回路８で復調された信号をこの信号を処理し、音声信号とする信号処理回路９に供給する。この信号処理回路９に得られる音声信号を、この音声信号を増幅する電力増幅回路１０に供給し、この電力増幅回路１０に得られる音声信号を音声として放音するスピーカ１１に供給する如くする。
【００１０】
図２において、１２は例えばバッテリーより構成され定電圧が得られるようになされた直流電源を示し、この直流電源１２の負極を接地し、この直流電源１２の正極を主電源スイッチ１３を介して受信回路７及び復調回路８の夫々の電源端子に接続する。即ちこの受信回路７及び復調回路８は主電源スイッチ１３がオンしているスタンバイ状態時は直流電源が供給され動作状態にある。
【００１１】
また、この直流電源１２の正極を主電源スイッチ１３及び電子スイッチ等のスイッチ１４の直列回路を介して信号処理回路９及び電力増幅回路１０の電源端子に接続する。即ちこの信号処理回路９及び電力増幅回路１０は主電源スイッチ１３及びスイッチ１４が共にオン状態のとき動作状態となる。
【００１２】
この場合スイッチ１４は復調回路８の出力側に音声信号が存在するときにオンとなる如くする。
【００１３】
斯る図２に示す如き音声信号ワイヤレス送受信システムにおいては、主電源スイッチ１３がオン状態で、スタンバイ状態時においては、送信側１より送信信号があり、復調回路８の出力側に音声信号が存在したときにはスイッチ１４がオンとなり受信側２の例えばワイヤレススピーカ装置が動作状態となる。
【００１４】
従って図２従来例によれば、スタンバイ状態時は使用者が受信側２の電源スイッチを直接オンオフしなくても送信側１から送信信号があり復調回路８の出力側に音声信号があるときだけ受信側２を動作させることができ、ワイヤレスの利便性を向上している利益がある。
【００１５】
【特許文献１】
特開平５−１８３５１７号公報
【００１６】
【発明が解決しようとする課題】
然しながら、図２に示す如き従来例においてはスタンバイ状態時は受信側２の高音質の音声信号の変調された信号成分を含む赤外線信号６を受信する受信回路７及び復調回路８に電源を供給し、動作状態とする必要があり、この受信側２の受信回路７及び復調回路８の消費電力は少なくなく、特にバッテリーでこの受信側２を駆動するようにしたときには動作時間に大きく影響する不都合があった。
【００１７】
本発明は斯る点に鑑み、スタンバイ状態時の消費電力を低減するようにすることを目的とする。
【００１８】
【課題を解決するための手段】
本発明ワイヤレス受信装置は受信回路で受信した受信信号を復調回路、信号処理回路及び電力増幅回路を介して負荷に供給すると共に電源とこの信号処理回路及びこの電力増幅回路との間に設けた第１のスイッチをこの復調回路の出力側に復調信号があるときにオンするようにしたワイヤレス受信装置において、この電源とこの受信回路及び復調回路との間に第２のスイッチを設けると共に電源オンリクエスト信号受信回路及びデコーダを設け、スタンバイ状態時に、この電源オンリクエスト信号受信回路及びこのデコーダに電源を供給するようにし、このスタンバイ状態時にこのデコーダに出力信号が得られたときにこの第２のスイッチをオンするようにしたものである。
【００１９】
斯る本発明によれば、電源オンリクエスト信号があるときに第２のスイッチをオンして受信回路及び復調回路を動作状態とし、その後復調回路の出力側に復調信号があるときに第１のスイッチをオンし受信側が動作状態となるので、ワイヤレスの利便性が向上すると共に電源と受信回路及び復調回路との間に第２のスイッチを設け、スタンバイ状態時は、この第２のスイッチをオフとするので、このスタンバイ状態時は電源オンリクエスト信号受信回路及びデコーダに電源を供給するだけであり、この電源オンリクエスト信号受信回路及びデコーダは通常のリモートコントロール回路と同様に少消費電力なので、スタンバイ状態時の消費電力を低減することができる。
【００２０】
本発明ワイヤレススピーカ装置は受信した受信信号を復調回路、信号処理回路及び電力増幅回路を介してスピーカに供給すると共に電源とこの信号処理回路及びこの電力増幅回路との間に設けた第１のスイッチをこの復調回路の出力側に復調音声信号があるときにオンするようにしたワイヤレススピーカ装置において、電源とこの受信回路及びこの復調回路との間に第２のスイッチを設けると共に電源オンリクエスト信号受信回路及びデコーダを設け、スタンバイ状態時に、この電源オンリクエスト信号受信回路及びこのデコーダに電源を供給するようにし、このスタンバイ状態時にこのデコーダに出力信号が得られたときにこの第２のスイッチをオンするようにしたものである。
【００２１】
斯る本発明によれば、電源オンリクエスト信号があるときに第２のスイッチをオンして受信回路及び復調回路を動作状態とし、その後復調回路の出力側に復調音声信号があるときに第１のスイッチをオンし、ワイヤレススピーカ装置が動作状態となりワイヤレスの利便性が向上すると共に直流電源と受信回路及び復調回路との間に第２のスイッチを設け、スタンバイ状態時は、この第２のスイッチをオフとするので、このスタンバイ状態時は電源オンリクエスト信号受信回路及びデコーダに電源を供給するだけであり、この電源オンリクエスト信号受信回路及びデコーダは通常のリモートコントロール回路と同様に少消費電力なので、スタンバイ状態時の消費電力を低減することができる。
【００２２】
本発明音声信号ワイヤレス送受信システムは主に音声信号を変調した送信信号を送信側よりワイヤレスで送信し、この送信信号を、受信側の受信回路で受信した受信信号を復調回路、信号処理回路及び電力増幅回路を介して負荷に供給すると共に電源とこの信号処理回路及びこの電力増幅回路との間に設けた第１のスイッチをこの復調回路に復調信号が得られているときにオンするようにした音声信号ワイヤレス送受信システムにおいて、電源とこの受信回路及びこの復調回路との間に第２のスイッチを設けると共にこの送信側に電源オンリクエスト信号をワイヤレスで送信する電源オンリクエスト信号送信手段を設け、この受信側に電源オンリクエスト信号受信回路及びデコーダを設け、スタンバイ状態時にこの電源オンリクエスト信号受信回路及びデコーダに電源を供給するようにし、このスタンバイ状態時にこのデコーダに出力信号が得られたときに、この第２のスイッチをオンとするようにしたものである。
【００２３】
斯る本発明によれば、電源オンリクエスト信号があるときに第２のスイッチをオンして受信回路及び復調回路を動作状態とし、その後復調回路の出力側に復調信号があるときに第１のスイッチをオンし受信側が動作状態となるので、ワイヤレスの利便性が向上すると共に直流電源と受信回路及び復調回路との間に第２のスイッチを設け、スタンバイ状態時は、この第２のスイッチをオフとするので、このスタンバイ状態時は電源オンリクエスト信号受信回路及びデコーダに電源供給するだけであり、この電源オンリクエスト信号受信回路及びデコーダは通常のリモートコントロール回路と同様に少消費電力なので、このスタンバイ状態時の消費電力を低減することができる。
【００２４】
【発明の実施の形態】
以下、図１を参照して本発明ワイヤレス受信装置、ワイヤレススピーカ装置及び音声信号ワイヤレス送受信システムの実施の形態の例につき説明する。図１において図２に対応する部分には同一符号を付して示す。
【００２５】
図１において、１は送信側を示し、２は受信側を示し、この受信側２は例えばワイヤレススピーカ装置である。この送信側１において、１ａは音声信号入力端子を示し、この音声信号入力端子１ａに供給された音声信号をこの音声信号を処理する音声信号処理回路３に供給する。
【００２６】
この音声信号処理回路３で処理された音声信号を送信信号に変調する変調回路４に供給する。この変調回路４で変調されて得られる送信信号を変調された音声信号成分を含む例えば赤外線信号６を出射する送信回路５に供給する。
【００２７】
この場合、この送信回路５は高音質の音声信号を送信する為、赤外線の搬送周波数を例えば３〜６ＭＨｚとする。
【００２８】
受信側２において、７は受信回路を示し、この受信回路７はこの変調された信号成分を含む例えば赤外線信号６を受信する例えば受光素子等より構成する。この受信回路７で受信した受信信号を変調信号を復調する復調回路８に供給する。この場合、受信回路７は搬送周波数が例えば３〜６ＭＨｚの高音質の音声信号成分を含む赤外線信号６を受信できる如く構成する。
【００２９】
この復調回路８で復調された信号をこの信号を処理し音声信号とする信号処理回路９に供給する。この信号処理回路９に得られる音声信号を、この音声信号を増幅する電力増幅回路１０に供給し、この電力増幅回路１０に得られる音声信号を音声として放音する負荷であるスピーカ１１に供給する如くする。
【００３０】
図１において、１２は例えばバッテリーより構成され定電圧が得られるようになされた直流電源を示し、この直流電源１２の負極を接地し、この直流電源１２の正極を主電源スイッチ１３及び電子スイッチ等のスイッチ（第１のスイッチ）１４の直列回路を介して信号処理回路９及び電力増幅回路１０の電源端子に接続する。即ち、この信号処理回路９及び電力増幅回路１０は主電源スイッチ１３及びスイッチ（第１のスイッチ）１４が共にオン状態のとき動作状態となる。
【００３１】
本例においては、送信側１に受信側２を動作させたいときに発生する電源オンリクエスト信号を送信する電源オンリクエスト信号送信手段２０を設ける。
【００３２】
この電源オンリクエスト信号送信手段２０は図１に示す如く構成する。２０ａは電源オンリクエスト信号入力端子を示し、この電源オンリクエスト信号入力端子２０ａに供給される電源オンリクエスト信号をこの電源オンリクエスト信号をエンコードするエンコード回路２１に供給する。
【００３３】
このエンコード回路２１でエンコードされた電源オンリクエスト信号を送信信号に変調する変調回路２２に供給する。この変調回路２２で変調されて得られる送信信号を、変調された電源オンリクエスト信号成分を含む例えば赤外線信号２４を出射する送信回路２３に供給する。
【００３４】
この場合この送信回路２３の例えば赤外線の搬送周波数を通常の赤外線リモートコントロール回路と同じ３３〜４０ＫＨｚとする。
【００３５】
本例による受信側２においては、直流電源１２の正極を主電源スイッチ１３及び電子スイッチ等のスイッチ（第２のスイッチ）２８を介して受信回路７及び復調回路８の電源端子に接続すると共にこの変調された電源オンリクエスト信号成分を含む例えば赤外線信号２４を受信する電源オンリクエスト信号受信回路２５を設ける。この電源オンリクエスト信号受信回路２５は、この変調された電源オンリクエスト信号成分を含む例えば赤外線信号２４を受信する受光素子等より構成する。
【００３６】
この電源オンリクエスト信号受信回路２５で受信した受信信号を変調信号を復調する復調回路２６に供給する。この復調回路２６で復調された信号をデコーダ２７に供給する。このデコーダ２７でデコードした電源オンリクエスト信号によりスイッチ（第２のスイッチ）２８をオンする如くする。
【００３７】
また、本例においては直流電源１２の正極を主電源スイッチ１３を介して電源オンリクエスト信号受信回路２５、復調回路２６及びデコーダ２７の夫々の電源端子に接続する。即ちこの電源オンリクエスト信号受信回路２５、復調回路２６及びデコーダ２７は主電源スイッチ１３がオンしているスタンバイ状態時に直流電源が供給された動作状態である。
【００３８】
この場合、電源オンリクエスト信号受信回路２５、復調回路２６及びデコーダ２７は通常の赤外線リモートコントロール回路同様に低消費電力であり高音質の高周波の赤外線を受信する受信回路７及び復調回路８の消費電力に比し数分の１である。
【００３９】
本例は上述の如く構成されているので受信側２例えばワイヤレススピーカ装置で、主電源スイッチ１３がオンされたときは電源オンリクエスト信号受信回路２５、復調回路２６及びデコーダ２７に直流電源１２より電源が供給され、この受信側２はスタンバイ状態となる。
【００４０】
このスタンバイ状態時にユーザが電源オンリクエスト信号送信手段２０を操作して電源オンリクエスト信号成分を含む例えば赤外線信号２４を出射したときには、この受信側２の電源オンリクエスト信号受信回路２５が、この電源オンリクエスト信号成分を含む例えば赤外線信号２４を受信し、これを復調回路２６が復調しデコーダ２７の出力側にこの電源オンリクエスト信号を得、デコーダ２７の出力信号によりスイッチ（第２のスイッチ）２８をオンとし、直流電源１２より受信回路７及び復調回路８に電源を供給し、音声受信待機状態とする。
【００４１】
この受信回路７及び復調回路８が動作状態の音声受信待機状態において、送信側１の送信回路５より変調された音声信号成分を含む例えば赤外線信号６が出射されたときには、この受信側２の受信回路７が、この変調された音声信号成分を含む例えば赤外線信号６を受信し、これを復調回路８が復調し、この復調回路８の出力側に音声信号が得られる。
【００４２】
この復調回路８の出力側に音声信号が得られたときはスイッチ（第１のスイッチ）１４をオンとし、直流電源１２より信号処理回路９及び電力増幅回路１０に電源を供給し、この信号処理回路９及び電力増幅回路１０を動作状態とし受信側２を動作状態即ち音声出力状態とする。
【００４３】
この音声出力状態でスピーカ１１より音声を放音することができる。
【００４４】
斯る、本例によれば、電源オンリクエスト信号があるときに第２のスイッチ２８をオンして受信回路７及び復調回路８を動作状態とし、その後復調回路８の出力側に復調信号即ち音声信号があるときに第１のスイッチ１４をオンし受信側２が動作状態となるので、ワイヤレスの利便性が向上する。
【００４５】
また本例によれば直流電源１２と受信回路７及び復調回路８との間に第２のスイッチ２８を設け、スタンバイ状態時は、この第２のスイッチ２８をオフとするので、このスタンバイ状態時は電源オンリクエスト信号受信回路２５、復調回路２６及びデコーダ２７に電源を供給するだけであり、この電源オンリクエスト信号受信回路２５、復調回路２６及びデコーダ２７の消費電力は通常の赤外線リモートコントロール回路と同様に少なく搬送周波数を３〜６ＭＨｚとしたときの受信回路７及び復調回路８の消費電力に比較し数分の１となる。
【００４６】
尚上述例は赤外線を利用した例につき述べたが、この代りに同様にして電波を使用することもできる。
【００４７】
また本発明は上述例に限ることなく本発明の要旨を逸脱することなくその他種々の構成が採り得ることは勿論である。
【００４８】
【発明の効果】
本発明によれば電源リクエスト信号があるときに第２のスイッチをオンして受信回路及び復調回路を動作状態とし、その後この復調回路の出力側に復調信号があるときに第１のスイッチをオンとし、受信側が動作状態となるので、ワイヤレスの利便性が向上する。
【００４９】
また本発明によれば直流電源とこの受信回路及び復調回路との間に第２のスイッチを設け、スタンバイ状態時はこの第２のスイッチをオフとするので、このスタンバイ状態時は電源オンリクエスト信号受信回路及びデコーダに電源を供給するだけであり、この電源リクエスト信号受信回路及びデコーダは通常の赤外線リモートコントロール回路と同様に少消費電力なので、このスタンバイ状態時の消費電力を低減することができる。
【図面の簡単な説明】
【図１】本発明音声信号ワイヤレス送受信システムの実施の形態の例を示す構成図である。
【図２】従来の音声信号ワイヤレス送受信システムの例を示す構成図である。
【符号の説明】
１‥‥送信側、１ａ‥‥音声信号入力端子、２‥‥受信側、３‥‥音声信号処理回路、４，２２‥‥変調回路、５，２３‥‥送信回路、６，２４‥‥赤外線信号、７‥‥受信回路、８，２６‥‥復調回路、９‥‥信号処理回路、１０‥‥電力増幅回路、１１‥‥スピーカ、１２‥‥直流電源、１３‥‥主電源スイッチ、１４‥‥第１のスイッチ、２０‥‥電源オンリクエスト信号送信手段、２０ａ‥‥電源オンリクエスト信号入力端子、２１‥‥エンコーダ、２５‥‥電源オンリクエスト信号受信回路、２７‥‥デコーダ、２８‥‥第２のスイッチ
【図１】
2004336252.tif 000003
【図２】
2004336252.tif 000004